(57)【要約】【課題】撮影者に意図的な動作をさせることなく、カメラの体感的な起動速度を向上させる。【解決手段】撮影者がポケットや鞄からデジタルカメラ１を取り出すことによりデジタルカメラ１を第１検出部１５により検出する。第１検出部１５からの検出信号が入力されると、制御部２０が起動処理の一部を実行する。第２検出部１６は、撮影者の起動ボタン５の操作を検出する。第２検出部１６からオン信号が入力されると、制御部２０が残りの起動処理を実行する。【選択図】図１
2009177563.tif 000002
【特許請求の範囲】
【請求項１】
装置本体の変位を検出する第１の検出手段と、
撮影可能状態とするための撮影者の操作を検出する第２の検出手段と、
前記第１の検出手段による前記変位の検出に応答して、起動処理の一部を実行して待機状態となり、待機状態での前記第２の検出手段による前記撮影者の操作の検出に応答して、残りの起動処理を実行する制御手段とを備えたことを特徴とする撮影装置。
【請求項２】
前記制御手段は、前記待機状態が所定時間続いた場合には、前記起動処理を停止する手段であることを特徴とする請求項１記載の撮影装置。
【請求項３】
前記第１の検出手段により前記変位が検出された場合における、前記起動処理の実行の有無の設定を受け付ける設定手段をさらに備え、
前記制御手段は、前記起動処理を実行しない設定がなされた場合、前記第２の検出手段により前記撮影者の操作が検出された場合にのみ、前記起動処理を実行する手段であることを特徴とする請求項１または２記載の撮影装置。
【請求項４】
前記制御手段は、装置に電力を供給する電源の電圧が所定値以下になったときに、前記第１の検出手段による前記変位の検出を停止し、前記第１の検出手段による前記変位の検出が停止された場合、前記第２の検出手段により前記撮影者の操作が検出された場合にのみ、前記起動処理を実行する手段であることを特徴とする請求項１または２記載の撮影装置。
【請求項５】
前記制御手段は、前記第１の検出手段により検出された変位のパターンが所定パターンと一致した場合にのみ、前記起動処理を実行する手段であることを特徴とする請求項１から４のいずれか１項記載の撮影装置。
【請求項６】
撮影装置本体の変位を検出する第１の検出手段により該装置本体の変位を検出し、
該変位の検出に応答して起動処理の一部を実行し、
撮影可能状態とするための撮影者の操作を検出する第２の検出手段により、該撮影者の操作を検出し、
該撮影者の操作の検出に応答して、残りの起動処理を実行することを特徴とする撮影装置の制御方法。
【請求項７】
撮影装置本体の変位を検出する第１の検出手段により、該装置本体の変位を検出する手順と、
該変位の検出に応答して起動処理の一部を実行する手順と、
撮影可能状態とするための撮影者の操作を検出する第２の検出手段により、該撮影者の操作を検出する手順と、
該撮影者の操作の検出に応答して、残りの起動処理を実行する手順とを有することを特徴とする撮影装置の制御方法をコンピュータに実行させるためのプログラム。
【発明の詳細な説明】
【技術分野】
【０００１】
本発明は、撮影装置および撮影装置の制御方法並びに撮影装置の制御方法をコンピュータに実行させるためのプログラムに関するものである。
【背景技術】
【０００２】
デジタルカメラ、カメラ付き携帯電話等の撮影装置においては、撮影者により電源スイッチがオンとされると、内蔵されている制御部が起動処理を開始する。起動処理においては、まず制御部がＯＳを起動し、この後にＯＳ上で動作制御プログラムを起動する。そして、その動作制御用プログラムにしたがって、アナログ信号処理部（ＡＦＥ）、デジタル信号処理部（ＤＳＰ）および撮像素子であるＣＣＤのドライバ等、撮影装置を構成する各部の動作を開始させたり、撮影レンズを繰り出したり、モニタを表示したり等の起動処理を行って、撮影装置を撮影可能な状態としている。
【０００３】
しかしながら、上述したように撮影者が電源スイッチをオンとしてから撮影可能な状態となるまでには、起動処理を行うための起動時間を要することから、起動処理の実行中にシャッタチャンスを逃してしまう場合がある。
【０００４】
このため、カメラ本体の撮影者の把持を検出し、カメラ本体を撮影者が把持した場合に起動処理を実行し、カメラを構えた状態ですでにカメラを撮影可能な状態とする手法が提案されている（特許文献１）。また、接触型のセンサを備え、ユーザがデジタルカメラに触れるとデジタルカメラの起動を開始し、最終的に電源をオンとすることにより起動を完了する手法も提案されている（特許文献２）。さらに、レンズカバーに２段階にてカメラを起動させる起動スイッチを設け、レンズカバーを開ける課程において１つめのスイッチをオンとすることにより起動を開始し、レンズカバーを完全に開けることによって２つめのスイッチをオンとすることにより起動を完了する手法も提案されている（特許文献３参照）。
【特許文献１】特開２００５−２８６９０２号公報
【特許文献２】特開２００６−１５７３７４号公報
【特許文献３】特開２００４−２５３８９７号公報
【発明の開示】
【発明が解決しようとする課題】
【０００５】
しかしながら、デジタルカメラによってはレンズカバーを有していないものもあるため、特許文献３に記載された手法はすべてのデジタルカメラに適用できない。また、特許文献１，２に記載された手法では、デジタルカメラのセンサ部分に触れないと起動処理が実行されないため、デジタルカメラを収容した鞄やポケットからデジタルカメラを取り出す際にセンサ部分に意識して触れるようにしないと、撮影可能な状態となるまでに時間を要するものとなってしまう。
【０００６】
本発明は上記事情に鑑みなされたものであり、撮影者に意図的な動作をさせることなく、カメラの体感的な起動速度を向上させることを目的とする。
【課題を解決するための手段】
【０００７】
本発明による撮影装置は、装置本体の変位を検出する第１の検出手段と、
撮影可能状態とするための撮影者の操作を検出する第２の検出手段と、
前記第１の検出手段による前記変位の検出に応答して、起動処理の一部を実行して待機状態となり、待機状態での前記第２の検出手段による前記撮影者の操作の検出に応答して、残りの起動処理を実行する制御手段とを備えたことを特徴とするものである。
【０００８】
第１の検出手段としては、加速度センサ、角速度センサ等を用いることができる。
【０００９】
なお、本発明による撮影装置においては、前記制御手段を、前記待機状態が所定時間続いた場合には、前記起動処理を停止する手段としてもよい。
【００１０】
また、本発明による撮影装置においては、前記第１の検出手段により前記変位が検出された場合における、前記起動処理の実行の有無の設定を受け付ける設定手段をさらに備えるものとし、
前記制御手段を、前記起動処理を実行しない設定がなされた場合、前記第２の検出手段により前記撮影者の操作が検出された場合にのみ、前記起動処理を実行する手段としてもよい。
【００１１】
また、本発明による撮影装置においては、前記制御手段を、装置に電力を供給する電源の電圧が所定値以下になったときに、前記第１の検出手段による前記変位の検出を停止し、前記第１の検出手段による前記変位の検出が停止された場合、前記第２の検出手段により前記撮影者の操作が検出された場合にのみ、前記起動処理を実行する手段としてもよい。
【００１２】
また、本発明による撮影装置においては、前記制御手段を、前記第１の検出手段により検出された変位のパターンが所定パターンと一致した場合にのみ、前記起動処理を実行する手段としてもよい。
【００１３】
本発明による撮影装置の制御方法は、撮影装置本体の変位を検出する第１の検出手段により該装置本体の変位を検出し、
該変位の検出に応答して起動処理の一部を実行し、
撮影可能状態とするための撮影者の操作を検出する第２の検出手段により、該撮影者の操作を検出し、
該撮影者の操作の検出に応答して、残りの起動処理を実行することを特徴とするものである。
【００１４】
なお、本発明による撮影装置の制御方法をコンピュータに実行させるためのプログラムとして提供してもよい。
【発明の効果】
【００１５】
本発明によれば、第１の検出手段により装置本体の変位が検出されると起動処理の一部が実行され、第２の検出手段により撮影者の操作が検出されると残りの起動処理が実行される。ここで、第１の検出手段は装置本体の変位を検出するため、撮影者は装置本体の特定箇所に触れる等の意図的な動作を行うことなく、単に鞄やポケットから撮影装置を取り出すという、撮影を行う場合であれば当然に行う動作を行うのみで、起動処理の一部が実行される。このため、第２の検出手段が撮影者の操作を検出した後は、撮影装置は直ちに撮影できる状態となることから、撮影者に意図的な動作をさせることなく、体感的な起動速度を向上させることができる。したがって、シャッタチャンスを逃すことなく撮影を行うことができる。
【００１６】
また、待機状態が所定時間続いた場合には、起動処理を停止することにより、撮影者が撮影可能な状態とするための操作を行わない場合に、待機状態が長時間続くことがなくなるため、待機状態が続くことによる無駄な電力の消費を防止することができる。
【００１７】
また、第１の検出手段により変位が検出された場合に起動処理を実行しない設定がなされた場合、撮影者の操作が検出された場合にのみ起動処理を実行することにより、設定により撮影者が起動の指示を行わない限り、撮影装置は起動されないこととなる。このため、撮影者の意図しない撮影装置の起動を防止することができ、その結果、無駄な電力の消費を防止することができる。
【００１８】
また、装置に電力を供給する電源の電圧が所定値以下になったときに、第１の検出手段による変位の検出を停止し、第１の検出手段による変位の検出が停止された場合、第２の検出手段により撮影者の操作が検出された場合にのみ起動処理を実行することにより、電源の残量が少ない場合に撮影装置の意図しない起動を防止することができ、その結果、電源の残量が少ない場合の無駄な電力の消費を防止することができる。
【００１９】
また、第１の検出手段により検出された変位のパターンが所定パターンと一致した場合にのみ起動処理を実行することにより、撮影装置を使用していない状態における撮影者の意図しない起動を防止することができ、その結果、無駄な電力の消費を防止することができる。
【発明を実施するための最良の形態】
【００２０】
以下、図面を参照して本発明の実施形態について説明する。図１は本発明の撮影装置の第１の実施形態であるデジタルカメラの構成を示す斜視図である。図１に示すように本実施形態によるデジタルカメラ１は、カメラ本体２を備え、その前面に撮影レンズ３およびストロボ発光部４が設けられている。また、カメラ本体２の上面には、起動ボタン５およびレリーズボタン６が設けられている。また、側面には撮影により取得した画像の画像データを記録するためのメモリカード７を装填するカードスロット８が設けられている。さらに、図示していないが、カメラ本体２の背面には各種表示を行うための液晶モニタ（ＬＣＤ）および各種設定を行うための操作ボタンが設けられている。
【００２１】
撮影レンズ３は、レンズ１１が鏡胴１２に保持されており、鏡胴１２は伸縮自在な２つの可動筒１２ａ，１２ｂからなる。撮影レンズ３は、図１に実線で示すように、可動筒１２ａ，１２ｂをカメラ本体２内に収納した沈胴位置と、二点鎖線で示すように、可動筒１２ａ，１２ｂが繰り出された撮影のための撮影位置との間で伸縮する沈胴式のものとなっている。なお、撮影レンズ３は、起動処理によって撮影位置に繰り出される。
【００２２】
ここで、第１の実施形態においては、後述するようにデジタルカメラ１の起動モードが第１のモードである場合において、デジタルカメラ１が不作動状態のときに、撮影者がポケットや鞄等からデジタルカメラ１を取り出すと、起動処理の一部が実行されて待機モードとされる。この待機モード下で撮影者が起動ボタン５を操作すると、残りの起動処理が実行される。これにより、撮影を行うためにデジタルカメラ１をポケットや鞄から取り出したときに起動処理の一部を完了させておき、起動ボタン５の操作で素早く撮影可能な状態となるようにしている。
【００２３】
なお、待機モード中において、撮影レンズ３は沈胴位置とされており、起動ボタン５の操作により撮影位置に繰り出される。また、待機モードとなってから所定の待機時間Ｔ１が経過したときは起動処理は停止され、不作動状態となる。
【００２４】
また、起動ボタン５は、後述するようにデジタルカメラ１の起動モードが第２のモードである場合、これを操作することによりデジタルカメラ１の作動状態と不作動状態とを切り替えることができる。
【００２５】
なお、起動モードの第１および第２のモードへの切り替えは、撮影者が各種操作ボタンを操作することによりあらかじめデジタルカメラ１に対して設定することができる。
【００２６】
図２はデジタルカメラ１の内部構成を示す図である。デジタルカメラ１は第１検出部１５および第２検出部１６を備える。
【００２７】
第１検出部１５は加速度センサからなり、デジタルカメラ１を移動させる際に生じる加速度を検出し、加速度の大きさを表す検出信号を制御部２０に出力する。なお、加速度センサに代えて角速度センサを用いてもよい。第２検出部１６は起動ボタン５と接続されており、撮影者による起動ボタン５の操作を検出し、その検出信号を出力する。具体的には、起動ボタン５は押下される毎にオン・オフが切り替わるため、切り替えられる毎にオン信号またはオフ信号を制御部２０に出力する。なお、制御部２０に接続される操作部１７は、カメラ本体２の背面に設けられた操作ボタン、レリーズボタン６およびこれらの操作に応じた信号を出力する回路から構成されている。
【００２８】
制御部２０は、第１検出部１５、第２検出部１６および操作部１７から入力される信号に基づいて、デジタルカメラ１の各部の動作を制御する。この制御部２０は、プログラムを実行するＣＰＵ２０ａ、ＣＰＵ２０ａと各部との間での信号を授受するためのＩ／Ｏ回路等から構成されている。また、制御部２０には、ＲＡＭ２０ｂが内蔵されている。なお、制御部２０が、制御手段および設定手段に対応する。
【００２９】
ＲＯＭ２１には、撮影動作を制御するためのプログラムとして、ＯＳプログラムおよび動作制御プログラムが記憶されている。制御部２０は、起動処理を実行する際に、ＯＳプログラムおよび動作制御プログラムをＲＯＭ２１からＲＡＭ２０ｂに転送する。制御部２０は、各プログラムの転送後に、ＲＡＭ２０ｂからＯＳプログラム起動し、そのＯＳプログラムの管理・制御下においてＲＡＭ２０ｂ上の動作制御プログラムを起動する。これにより、制御部２０は、動作制御プログラムに基づく処理を行って各部を制御する。
【００３０】
制御部２０は、起動モードが第１のモードに設定されている場合においては、第１検出部１５から検出信号が入力された場合にＯＳプログラムを起動し、さらに動作制御プログラムにより後述するＡＦＥ３１、ＤＳＰ３２およびＣＣＤドライバ２６の起動までを行って待機モードとなり、その後、所定の待機時間Ｔ１内に第２検出部１６から起動ボタン５のオン信号が入力されると、ＬＣＤ９の駆動および撮影レンズ３の繰り出し等の各部への動作指示を行うことにより残りの起動処理を実行して、デジタルカメラ１を撮影可能な状態とする。なお、待機時間Ｔ１内に第２検出部１６から起動ボタン５のオン信号が入力されない場合には起動処理を停止し、不作動状態に戻る。また、待機時間Ｔ１はタイマー３８によりカウントされる。
【００３１】
一方、起動モードが第２のモードに設定されている場合においては、制御部２０は、第２検出部１６から起動ボタン５のオン信号が入力されると起動処理を開始し、起動処理を最後まで完了してデジタルカメラ１を撮影可能な状態とする。
【００３２】
撮影レンズ３は、繰り出し機構２２によって沈胴位置と撮影位置との間で伸縮される。この撮影レンズ３は、レンズ駆動部２３によってフォーカシングが行われるとともに、内蔵された絞り２４が駆動される。
【００３３】
撮影レンズ３の後方にはＣＣＤ２５が配置されている。ＣＣＤ２５はＣＣＤドライバ２６により駆動されて、撮影レンズ３を通して撮影した光学的な被写体画像を電気的な撮影信号に変換して出力する。なお、ＣＣＤ２５に代えてＣＭＯＳ型のイメージセンサ等を用いてもよい。
【００３４】
ＣＣＤ２５からの撮影信号は、アナログ信号処理部（ＡＦＥ）３１に送られる。ＡＦＥ３１は、撮影信号に対してノイズを除去するための相関二重サンプリング処理，増幅処理を施してからＡ／Ｄ変換を行うことにより、撮影信号をデジタルの画像データに変換する。画像データは、デジタル信号処理部（ＤＳＰ）３２に送られる。ＤＳＰ３２は、ホワイトバランスの調節、γ補正、データ形式の変換、データ圧縮・伸長等の処理を行う。ＳＤＲＡＭ３３は、ＤＳＰ３２の作業領域として使用され、処理中の画像データが書き込まれる。
【００３５】
ＬＣＤドライバ３４は、ＤＳＰ３２から入力される画像データに基づいてＬＣＤ９を駆動する。なお、デジタルカメラ１のモードが撮影モードに切り替えられている場合、撮影により取得される画像データがＬＣＤドライバ３４に順次入力されることによって、撮影中の被写体像がＬＣＤ９に動画で表示される。また、デジタルカメラのモードが再生モードに切り替えられている場合、メモリカード７から読み出された画像データが入力されることによって、読み出した画像データにより表される画像がＬＣＤ９に表示される。
【００３６】
インタフェース回路３５は、メモリカード７からの画像データの読み出し、メモリカード７への画像データの書き込みを行う。撮影モードにおいては、レリーズボタン６の押下操作に応答して撮影された１フレーム分の画像データが、ＤＳＰ３２により各種処理を施されてからインタフェース回路３５に入力され、メモリカード７に書き込まれる。また、再生モードにおいては、操作部１７の操作により選択された画像データが、インタフェース回路３５によりメモリカード７から読み出されてＤＳＰ３２に送られる。
【００３７】
電源回路３６はバッテリ３７と接続されており、起動処理の開始時に制御部２０によってオンとされて、動作のための駆動電圧を各部に供給する。なお、制御部２０は、電源回路３６がオンとなっているときに供給される駆動電圧とは別に、電源回路３６のオン、オフに拘わらずバッテリ３７から電力供給を受けている。この電力供給により、制御部２０は、第１および第２の検出部１５，１６からの信号の入力を監視し、信号の入力に応答して電源回路３６をオンとすることができる。
【００３８】
次いで、第１の実施形態において行われる処理について説明する。図３は第１の実施形態において行われる処理を示すフローチャートである。なお、起動モードが第２のモードに設定された場合の処理は、起動ボタン５をオンとすることによる起動であるため、詳細な説明は省略し、ここでは起動モードが第１のモードに設定された場合の処理についてのみ説明する。
【００３９】
デジタルカメラが不作動状態のとき、制御部２０は第１検出部１５からの信号が入力されたか否かを監視しており（ステップＳＴ１）、例えば撮影者がポケットや鞄からデジタルカメラ１を取り出すことによりデジタルカメラ１が変位して、第１検出部１５からの検出信号が入力されると、電源回路３６をオンとする（ステップＳＴ２）。これにより、駆動電圧が制御部２０を含む各部に供給される。次いで、制御部２０は、ＲＯＭ２１からＯＳプログラムを読み出してＲＡＭ２０ｂに格納してＯＳを起動する（ステップＳＴ３）。さらに制御部２０は、動作制御プログラムを起動して、ＡＦＥ３１、ＤＳＰ３２およびＣＣＤドライバ２６を起動する（ステップＳＴ４）。
【００４０】
制御部２０はこの状態において待機モードとなり、第２検出部１６からのオン信号が入力されたか否かを判定する（ステップＳＴ５）。ステップＳＴ５が否定されると、待機モードとなってから所定の待機時間Ｔ１が経過したか否かを判定する（ステップＳＴ６）。ステップＳＴ６が否定されるとステップＳＴ５に戻る。ステップＳＴ５が肯定されると、制御部２０は、繰り出し機構２２により撮影レンズ３を沈胴位置から撮影位置に伸長するとともに、ＬＣＤドライバ３４によりＬＣＤ９を起動し（撮影レンズおよびＬＣＤ起動、ステップＳＴ７）、起動処理を終了する。これにより、デジタルカメラ１は撮影可能な状態となるため、撮影者はレリーズボタン６を押下することにより、直ちに撮影を行うことができる。
【００４１】
一方、ステップＳＴ６が肯定されると、電源回路３６をオフとして（ステップＳＴ７）、起動処理を終了する。
【００４２】
このように、第１の実施形態においては、第１検出部１５によりデジタルカメラ１の変位が検出されると起動処理の一部を実行し、第２検出部１６により撮影者の起動ボタン５のオンの操作が検出されると残りの起動処理を実行するようにしたものである。ここで、第１検出部１５はデジタルカメラ１の変位を検出するため、撮影者はデジタルカメラ１の特定箇所に触れる等の意図的な動作を行うことなく、単に鞄やポケットからデジタルカメラ１を取り出すという、撮影を行う場合であれば当然行う動作を行うのみで、起動処理の一部が実行される。このため、第２検出部１６が撮影者の起動ボタン５のオンの操作を検出した後は、デジタルカメラ１は直ちに撮影できる状態となることから、撮影者に意図的な動作をさせることなく、デジタルカメラ１の体感的な起動速度を向上させることができる。したがって、シャッタチャンスを逃すことなく撮影を行うことができる。
【００４３】
また、待機モードが所定の待機時間Ｔ１続いた場合には、起動処理を停止することにより、撮影者が起動ボタン５の操作を行わない場合に、待機状態が長時間続くことがなくなるため、待機状態が続くことによる無駄な電力の消費を防止することができる。
【００４４】
また、起動モードを第１および第２のモードに設定可能とし、第２のモードに設定された場合には、第２検出部１６が起動ボタン５のオンの操作を検出した場合にのみ起動処理を実行することにより、設定により撮影者が起動の指示を行わない限り、デジタルカメラ１を起動させることがなくなる。このため、撮影者の意図しないデジタルカメラ１の起動を防止することができ、その結果、無駄な電力の消費を防止することができる。
【００４５】
なお、上記第１の実施形態においては、起動モードとして第１および第２のモードを設定可能としているが、とくに第１および第２のモードを設定可能とする必要はなく、起動モードとして第１のモードのみを有するものとしてもよい。
【００４６】
また、上記第１の実施形態においては、待機モードとなってから待機時間Ｔ１を経過した場合には起動処理を停止しているが、起動処理を停止することなく、第２検出部１６からのオン信号の入力を待って残りの起動処理を行うようにしてもよい。
【００４７】
次いで、本発明の第２の実施形態について説明する。なお、第２の実施形態によるデジタルカメラは、第１の実施形態によるデジタルカメラと構成が同一であり、行われる処理のみが異なるものであるため、ここでは構成についての詳細な説明は省略する。第２の実施形態においては、バッテリ３７の電圧が所定値Ｔｈ２以下となったときに、第１検出部１５による変位の検出を停止し、第２検出部１６から起動ボタン５のオン信号が制御部２０に入力された場合にのみ、起動処理を行うようにした点が第１の実施形態と異なる。
【００４８】
次いで、第２の実施形態において行われる処理について説明する。図４は第２の実施形態において行われる処理を示すフローチャートである。なお、起動モードは第１のモードに設定されているものとする。
【００４９】
デジタルカメラが不作動状態のとき、制御部２０はバッテリ３７の電圧が所定値Ｔｈ２以下となったか否かを監視しており（ステップＳＴ１１）、ステップＳＴ１１が否定されると、第１検出部１５からの検出信号が入力されたか否かを判定する（ステップＳＴ１２）。ステップＳＴ１２が否定されるとステップＳＴ１１に戻る。ステップＳＴ１２が肯定されると、第１の実施形態におけるステップＳＴ２以降の処理を行う。なお、ステップＳＴ２以降の処理の詳細については図４においては省略する。
【００５０】
一方、ステップＳＴ１１が肯定されると、制御部２０が第１検出部１５によるデジタルカメラ１の変位の検出を停止する（ステップＳＴ１３）。続いて、制御部２０は、第２検出部１６からのオン信号が入力されたか否かの監視を開始し（ステップＳＴ１４）、ステップＳＴ１４が肯定されると、電源回路３６をオンとする（ステップＳＴ１５）。これにより、駆動電圧が制御部２０を含む各部に供給される。次いで、制御部２０は、ＲＯＭ２１からＯＳプログラムを読み出してＲＡＭ２０ｂに格納してＯＳを起動する（ステップＳＴ１６）。さらに制御部２０は、動作制御プログラムを起動してＡＦＥ３１、ＤＳＰ３２およびＣＣＤドライバ２６を起動する（ステップＳＴ１７）。続いて、制御部２０は、繰り出し機構２２により撮影レンズ３を沈胴位置から撮影位置に伸長するとともに、ＬＣＤドライバ３４によりＬＣＤ９を起動し（撮影レンズおよびＬＣＤ起動、ステップＳＴ１８）、起動処理を終了する。
【００５１】
このように、第２の実施形態においては、バッテリ３７の電圧が所定値Ｔｈ２以下になったときに、第１検出部１５による変位の検出を停止し、第１検出部１５による変位の検出が停止された場合、第２検出部１６により撮影者の操作が検出された場合にのみ起動処理を実行するようにしたものである。このため、バッテリ３７の残量が少ない場合にデジタルカメラ１の意図しない起動を防止することができ、その結果、バッテリ３７の残量が少ない場合の無駄な電力の消費を防止することができる。
【００５２】
次いで、本発明の第３の実施形態について説明する。なお、第３の実施形態によるデジタルカメラは、第１の実施形態によるデジタルカメラと構成が同一であり、行われる処理のみが異なるものであるため、ここでは構成についての詳細な説明は省略する。第３の実施形態においては、第１検出部１５が検出した検出信号に基づく加速度の変化のパターンが所定パターンと一致するか否かを判定し、一致した場合にのみ起動処理を実行するようにした点が第１の実施形態と異なる。
【００５３】
図５はデジタルカメラ１に生じる地面に垂直な方向における加速度の変化パターンを示す図であり、図５（ａ）はデジタルカメラ１がポケットや鞄に収容されている状態における加速度の変化パターンを、図５（ｂ）は撮影者がポケットや鞄からデジタルカメラ１を取り出す場合の加速度の変化パターンをそれぞれ示す。
【００５４】
図５（ａ）に示すように、デジタルカメラ１がポケットや鞄に収容されている状態においては、重力である１Ｇを基準として、撮影者の動きに併せてわずかに加速度が変化するのみである。これに対してデジタルカメラ１をポケットや鞄から取り出す場合、取り出す動作を開始すると撮影者がデジタルカメラ１に触れることにより、図５（ａ）の期間Ｐ１に示すように加速度が変化し、さらに上方へデジタルカメラ１を引き上げることから加速度が増加し（期間Ｐ２）、加速度が一定値となり（期間Ｐ３）、デジタルカメラ１を構えて停止させる状態となるまで加速度が低下し（期間Ｐ４）、停止のために加速度が０Ｇとなって（期間Ｐ５）、停止により重力である１Ｇに戻る（期間Ｐ６）。
【００５５】
このように、デジタルカメラ１が収容されているときと、ポケットや鞄から取り出すときとでは、加速度の変化パターンが明らかに異なる。第３の実施形態においては、図５（ｂ）に示すような加速度の変化パターンをＲＯＭ２１に記憶しておき、第１検出部１５から入力される検出信号に基づく加速度の変化パターンが、ＲＯＭ２１に記憶された変化パターンと一致したときに、起動処理を実行するようにしたものである。
【００５６】
なお、図５（ｂ）に示す変化パターンの期間Ｐ５が終了するまでのタイミング（すなわち期間Ｐ１〜Ｐ５）において、検出した加速度の変化パターンが一致するか否かを判定していたのでは、デジタルカメラ１を構えてから起動処理が開始されてしまうことから、シャッタチャンスを逃してしまうおそれがある。このため、第３の実施形態において、起動処理を開始するタイミングとしては、検出した加速度の変化パターンが、図５（ｂ）に示す期間Ｐ３までの変化パターンと一致し、加速度が低下し始めたときに（すなわち期間Ｐ３，Ｐ４の境界において）起動処理を開始するものとする。
【００５７】
次いで、第３の実施形態において行われる処理について説明する。図６は第３の実施形態において行われる処理を示すフローチャートである。なお、起動モードは第１の起動モードに設定されているものとする。
【００５８】
デジタルカメラが不作動状態のとき、制御部２０は第１検出部１５からの信号が入力されたか否かを監視しており（ステップＳＴ２１）、例えば撮影者がポケットや鞄からデジタルカメラ１を取り出すことによりデジタルカメラ１が変位して、第１検出部１５からの検出信号が入力されると、検出信号に基づく加速度の変化パターンが、ＲＯＭ２１に記憶された変化パターンと一致するか否かを判定する（ステップＳＴ２２）。ステップＳＴ２２が否定されるとステップＳＴ２１に戻る。ステップＳＴ２２が肯定されると、第１の実施形態におけるステップＳＴ２以降の処理を行う。
【００５９】
このように第３の実施形態においては、第１検出部１５が検出した加速度の変化パターンが、ＲＯＭ２１に記憶された変化パターンと一致した場合にのみ起動処理を実行するようにしたため、デジタルカメラ１を使用していない状態における撮影者が意図しない起動を防止することができ、その結果、無駄な電力の消費を防止することができる。
【００６０】
なお、上記第３の実施形態においては、ポケットや鞄からデジタルカメラ１を取り出す際の変化パターンをＲＯＭ２１に記憶しているが、例えば、図７に示すように、デジタルカメラ１を数回（図７では２回）振る場合の加速度の変化パターンをＲＯＭ２１に記憶しておくようにしてもよい。この場合、撮影者がデジタルカメラ１を２回振る動作を行った場合に、検出した変化パターンがＲＯＭ２１に記憶された変化パターンと一致して起動処理が実行されることとなる。
【００６１】
また、上記第１から第３の実施形態においては、本発明による撮影装置をデジタルカメラに適用しているが、カメラ付き携帯電話、ＰＤＦ等の撮影により画像を取得する撮影装置であれば、本発明を適用できることはもちろんである。
【００６２】
また、上記実施形態においては、ＡＦＥ３１、ＤＳＰ３２およびＣＣＤドライバ２６の起動が完了した状態を待機モードとしているが、例えばＯＳプログラムおよび動作制御プログラムの起動のみを行った状態を待機モードとしてもよい。また、ＡＦＥ３１、ＤＳＰ３２およびＣＣＤドライバ２６の起動に加えて、撮影レンズ３の繰り出しまで行った状態を待機モードとしてもよい。
【００６３】
以上、本発明の実施形態に係るデジタルカメラ１について説明したが、コンピュータを、上記の制御部２０に対応する手段として機能させ、図３，４，６に示す処理を行わせるプログラムも、本発明の実施形態の１つである。また、そのようなプログラムを記録したコンピュータ読取り可能な記録媒体も、本発明の実施形態の１つである。
【図面の簡単な説明】
【００６４】
【図１】本発明の撮影装置の第１の実施形態であるデジタルカメラの構成を示す斜視図
【図２】デジタルカメラの内部構成を示す図
【図３】第１の実施形態において行われる処理を示すフローチャート
【図４】第２の実施形態において行われる処理を示すフローチャート
【図５】デジタルカメラに生じる地面に垂直な方向における加速度の変化パターンを示す図（その１）
【図６】第３の実施形態において行われる処理を示すフローチャート
【図７】デジタルカメラに生じる地面に垂直な方向における加速度の変化パターンを示す図（その２）
【符号の説明】
【００６５】
１    デジタルカメラ
２    カメラ本体
３    撮影レンズ
５    起動ボタン
９    ＬＣＤ
１５  第１検出部
１６  第２検出部
１７  操作部
２０  制御部
２１  ＲＯＭ
２６  ＣＣＤドライバ
３１  ＡＦＥ
３２  ＤＳＰ
【図１】
2009177563.tif 000003
【図２】
2009177563.tif 000004
【図３】
2009177563.tif 000005
【図４】
2009177563.tif 000006
【図５】
2009177563.tif 000007
【図６】
2009177563.tif 000008
【図７】
2009177563.tif 000009